(57)【要約】【課題】この発明は、車室内スペースなかんずく乗員の足元スペースの確保と、燃料タンクの容量確保との両立を図ることができ、特にシートの前方下部のデッドスペースを乗員の足元スペースとして有効利用することができる車両用燃料タンクの配設構造の提供を目的とする。【解決手段】リヤフロア４の一般面８は前方且つ下方に傾斜して形成され、傾斜した後方の高部８ｂであって、且つリヤフロア突出部７後方の部位にはリヤシート９，１０（係入部２３）が取付けられるストライカ１１が設けられ、キックアップ部３とリヤフロア突出部７との間には、両リヤサイドフレーム２７，２７間の車幅方向略全域に渡って断面Ｌ字状の段差部６が延設されていることを特徴とする。【選択図】図３
2011031888.tif 000002
【特許請求の範囲】
【請求項１】
車室フロアを形成するフロアパネルの下方に燃料タンクが配設された車両用燃料タンクの配設構造であって、
上記フロアパネルには、その車幅方向両側に前後方向に延びるリヤサイドフレームが設けられると共に、両該リヤサイドフレームの間に上方に段差が形成されたキックアップ部が設けられ、
上記キックアップ部の後方における上記フロアパネルの車幅方向の少なくとも一部に該フロアパネルの一般面より上方に突出したフロア突出部を形成し、
上記燃料タンクをフロアパネルの一般面の下方に配設すると共に、
該燃料タンクの車幅方向の少なくとも一部に上方に突出したタンク突出部を形成し、
該タンク突出部を上記フロア突出部により形成された空間内に配設すると共に、
上記フロア突出部の上方の車室内側にシートを配設し、
上記フロアパネルの一般面は前方且つ下方に傾斜して形成され、傾斜した後方の高部であって、且つ上記フロア突出部後方の部位にはシートが取付けられるシート支持部が設けられ、
上記キックアップ部と上記フロア突出部との間には、上記両リヤサイドフレーム間の車幅方向略全域に渡って断面Ｌ字状の段差部が延設されている
車両用燃料タンクの配設構造。
【請求項２】
車室フロアを形成するフロアパネルの下方に燃料タンクが配設された車両用燃料タンクの配設構造であって、
上記フロアパネルには、その車幅方向両側に前後方向に延びるリヤサイドフレームが設けられると共に、両該リヤサイドフレームの間に上方に段差が形成されたキックアップ部が設けられ、
上記キックアップ部の後方における上記フロアパネルの車幅方向の少なくとも一部に該フロアパネルの一般面より上方に突出したフロア突出部を形成し、
上記燃料タンクをフロアパネルの一般面の下方に配設すると共に、
該燃料タンクの車幅方向の少なくとも一部に上方に突出したタンク突出部を形成し、
該タンク突出部を上記フロア突出部により形成された空間内に配設すると共に、
上記フロア突出部の上方の車室内側にシートを配設し、
上記フロアパネルの一般面は前方且つ下方に傾斜して形成され、傾斜した後方の高部であって、且つ上記フロア突出部後方の部位にはシートが取付けられるシート支持部が設けられ、
上記フロア突出部は、上記両リヤサイドフレームとそれぞれ連結された両該リヤサイドフレーム近傍の上記フロアパネルの一般面の間に渡って設けられると共に、上記シートの後端よりも前方の一般面から前方へ略水平に延設され、且つその上面が正面視で略水平に形成される略台形形状とされた
車両用燃料タンクの配設構造。
【請求項３】
上記フロア突出部は、上記両リヤサイドフレームとそれぞれ連結された両該リヤサイドフレーム近傍の上記フロアパネルの一般面の間に渡って設けられると共に、上記シートの後端よりも前方の一般面から前方へ略水平に延設され、且つその上面が正面視で略水平に形成される略台形形状とされた
請求項１記載の車両用燃料タンクの配設構造。
【請求項４】
上記フロア突出部の後方且つ上記シートの後部の下方に位置する上記フロアパネルに沿って上記両リヤサイドフレームを車幅方向に接続するリヤクロスメンバが設けられた
請求項１〜３の何れか１に記載の車両用燃料タンクの配設構造。
【請求項５】
上記フロアパネルの車幅方向中央部位には、車室内側に突出し、上記キックアップ部の前面から車両前方に向けて延びるトンネル部が設けられ、
該トンネル部は、上記フロア突出部に対し、下方に位置し、且つ車幅方向の幅が狭い
請求項１〜４の何れか１に記載の車両用燃料タンクの配設構造。
【請求項６】
上記トンネル部の上壁は、上記キックアップ部前面の上縁よりも下方に離間している
請求項５記載の車両用燃料タンクの配設構造。
【請求項７】
上記段差部は、上記両リヤサイドフレームの上面と同じ高さに配設される
請求項１、３、６の何れか１に記載の車両用燃料タンクの配設構造。
【発明の詳細な説明】
【技術分野】
【０００１】
この発明は、車室フロアを形成するフロアパネル（リヤフロアを含む）の下方に燃料タンクが配設されたような車両用燃料タンクの配設構造に関する。
【背景技術】
【０００２】
従来、車両用の燃料タンクはキックアップ部の後方で、かつリヤフロアの下方に配設される構造が一般的である。ところで、車両においてはリヤ席に着座した乗員の足元スペースを確保することと、燃料タンクの容量を確保することが要請される。
【０００３】
上述の乗員の足元スペースはキックアップ部の前後位置によって規定されるが、足元スペースの拡大を図る目的で、キックアップ部を後方側に設定すると、充分な燃料タンク容量を確保することが困難となり、逆に、燃料タンク容量の拡大を図る目的で、キックアップ部を前方側に設定すると、充分な足元スペースの確保が困難となる問題点があった。
【０００４】
一方、特許文献１には、燃料タンクを、キックアップ部の後方で、かつリヤフロアの下方に配設した構造が開示されているが、上述のリヤフロアおよび該リヤフロア上部に配置されるリヤシートのシートクッションには下方に突出する突出部が形成されていて、この突出部に対応すべく燃料タンクのトップデッキ部には凹部が形成されているので、この分、燃料タンク容量が減少して、充分な燃料タンク容量の確保が困難となる問題点があった。
【０００５】
また、特許文献２には、キックアップ部後方のリヤフロアに、リヤシートのシートクッションを取付け、このシートクッションを上側のリヤシートクッション本体部と、下側のリヤシートクッション分割部とに分割し、リヤシートを前方にダブルホールドさせた時、リヤシートクッション分割部がリヤフロア上に残るように、該リヤフロアには下方に突出する凹部が形成されているので、仮に、キックアップ部の後方で、かつ、リヤフロアの下方に燃料タンクを配設すると、上述の凹部によって燃料タンクの充分な容量確保が阻害される問題点があった。
【先行技術文献】
【特許文献】
【０００６】
【特許文献１】特開２００１−６３３８９号公報
【特許文献２】特開平９−８６２４５号公報
【発明の概要】
【発明が解決しようとする課題】
【０００７】
そこで、この発明は、フロアパネルの車幅方向の少なくとも一部に該フロアパネルの一般面よりも上方に突出したフロア突出部を形成し、燃料タンクをフロアパネルの一般面の下方に配設して、この燃料タンクの車幅方向の少なくとも一部には上方に突出したタンク突出部を形成し、このタンク突出部をフロア突出部により形成された空間内に配設すると共に、フロア突出部上方にはシートを配設することで、車室内スペースなかんずく乗員の足元スペースの確保と、燃料タンクの容量確保との両立を図ることができ、特にシートの前方下部のデッドスペースを乗員の足元スペースとして有効利用することができる車両用燃料タンクの配設構造の提供を目的とする。
【課題を解決するための手段】
【０００８】
この発明による車両用燃料タンクの配設構造は、車室フロアを形成するフロアパネルの下方に燃料タンクが配設された車両用燃料タンクの配設構造であって、上記フロアパネルには、その車幅方向両側に前後方向に延びるリヤサイドフレームが設けられると共に、両該リヤサイドフレームの間に上方に段差が形成されたキックアップ部が設けられ、上記キックアップ部の後方における上記フロアパネルの車幅方向の少なくとも一部に該フロアパネルの一般面より上方に突出したフロア突出部を形成し、上記燃料タンクをフロアパネルの一般面の下方に配設すると共に、該燃料タンクの車幅方向の少なくとも一部に上方に突出したタンク突出部を形成し、該タンク突出部を上記フロア突出部により形成された空間内に配設すると共に、上記フロア突出部の上方の車室内側にシートを配設し、上記フロアパネルの一般面は前方且つ下方に傾斜して形成され、傾斜した後方の高部であって、且つ上記フロア突出部後方の部位にはシートが取付けられるシート支持部が設けられ、上記キックアップ部と上記フロア突出部との間には、上記両リヤサイドフレーム間の車幅方向略全域に渡って断面Ｌ字状の段差部が延設されているものである。
【０００９】
上記構成によれば、フロアパネルの一般面より上方に突出したフロア突出部を形成し、このフロア突出部で形成された空間内に燃料タンクのタンク突出部を配設したので、車室内スペース、なかんずく、乗員の足元スペースの確保と、燃料タンクの容量確保との両立を図ることができる。
【００１０】
また、フロア突出部の上方の車室内側にシートを配設したので、シート前方下部のデッドスペースを乗員の足元スペースとして有効利用することができる。  
さらに、上記フロアパネルには上方に段差が形成されたキックアップ部が設けられ、上記キックアップ部の後方に上記フロア突出部が形成されたものであるから、上述のフロア突出部はキックアップ部よりもさらに一段上部に位置するので、燃料タンクのタンク容量をさらに拡大することができる。
【００１１】
加えて、上記フロアパネルの一般面は前方且つ下方に傾斜して形成され、傾斜した後方の高部であって、且つ上記フロア突出部後方の部位にはシートが取付けられるシート支持部が設けられたものである。
【００１２】
このように、フロアパネルの一般面が前方且つ下方に傾斜し、さらに、シート支持部がフロア突出部後方の高部に設けられているので、正面視でフロアパネルの中間部分には車幅方向に上方に突出したフロア突出部を適切に形成することができ、キックアップ部を車体前方に設定しても、シート下のフロアパネルに、下方へ突出する突出部（凹部）を設けることなく、乗員の足元スペースと燃料タンクの容量とを確保するレイアウトを両立できる。したがって、シートの取付けと、燃料タンクの容量確保との両立を図ることができる。
【００１３】
さらに、上記キックアップ部と上記フロア突出部との間には、上記両リヤサイドフレーム間の車幅方向略全域に渡って断面Ｌ字状の段差部が延設されたものである。したがって、断面Ｌ字状の段差部により、フロア突出部の前部におけるフロア剛性を向上できる。
【００１４】
また、この発明による車両用燃料タンクの配設構造は、車室フロアを形成するフロアパネルの下方に燃料タンクが配設された車両用燃料タンクの配設構造であって、上記フロアパネルには、その車幅方向両側に前後方向に延びるリヤサイドフレームが設けられると共に、両該リヤサイドフレームの間に上方に段差が形成されたキックアップ部が設けられ、上記キックアップ部の後方における上記フロアパネルの車幅方向の少なくとも一部に該フロアパネルの一般面より上方に突出したフロア突出部を形成し、上記燃料タンクをフロアパネルの一般面の下方に配設すると共に、該燃料タンクの車幅方向の少なくとも一部に上方に突出したタンク突出部を形成し、該タンク突出部を上記フロア突出部により形成された空間内に配設すると共に、上記フロア突出部の上方の車室内側にシートを配設し、上記フロアパネルの一般面は前方且つ下方に傾斜して形成され、傾斜した後方の高部であって、且つ上記フロア突出部後方の部位にはシートが取付けられるシート支持部が設けられ、上記フロア突出部は、上記両リヤサイドフレームとそれぞれ連結された両該リヤサイドフレーム近傍の上記フロアパネルの一般面の間に渡って設けられると共に、上記シートの後端よりも前方の一般面から前方へ略水平に延設され、且つその上面が正面視で略水平に形成される略台形形状とされたものである。
【００１５】
上記構成によれば、フロアパネルの一般面より上方に突出したフロア突出部を形成し、このフロア突出部で形成された空間内に燃料タンクのタンク突出部を配設したので、車室内スペース、なかんずく、乗員の足元スペースの確保と、燃料タンクの容量確保との両立を図ることができる。
【００１６】
また、フロア突出部の上方の車室内側にシートを配設したので、シート前方下部のデッドスペースを乗員の足元スペースとして有効利用することができる。 
さらに、上記フロアパネルには上方に段差が形成されたキックアップ部が設けられ、上記キックアップ部の後方に上記フロア突出部が形成されたものであるから、上述のフロア突出部はキックアップ部よりもさらに一段上部に位置するので、燃料タンクのタンク容量をさらに拡大することができる。
【００１７】
加えて、上記フロアパネルの一般面は前方且つ下方に傾斜して形成され、傾斜した後方の高部であって、且つ上記フロア突出部後方の部位にはシートが取付けられるシート支持部が設けられたものである。
【００１８】
このように、フロアパネルの一般面が前方且つ下方に傾斜し、さらに、シート支持部がフロア突出部後方の高部に設けられているので、正面視でフロアパネルの中間部分には車幅方向に上方に突出したフロア突出部を適切に形成することができ、キックアップ部を車体前方に設定しても、シート下のフロアパネルに、下方へ突出する突出部（凹部）を設けることなく、乗員の足元スペースと燃料タンクの容量とを確保するレイアウトを両立できる。したがって、シートの取付けと、燃料タンクの容量確保との両立を図ることができる。
【００１９】
特に、フロア突出部がシート後端よりも前方の一般面から略水平に延設されているので、燃料タンク上面をフラット化でき、好ましい。
【００２０】
さらに、上記フロア突出部は、上記両リヤサイドフレームとそれぞれ連結された両該リヤサイドフレーム近傍の上記フロアパネルの一般面の間に渡って設けられると共に、上記シートの後端よりも前方の一般面から前方へ略水平に延設され、且つその上面が正面視で略水平に形成される略台形形状とされたものである。したがって、フロア突出部が両リヤサイドフレーム近傍の一般面を連結し、その上面が略水平に延びて断面逆Ｌ字状になることから、フロア突出部の前部におけるフロア剛性を向上できる。
【００２１】
この発明の一実施態様においては、上記フロア突出部は、上記両リヤサイドフレームとそれぞれ連結された両該リヤサイドフレーム近傍の上記フロアパネルの一般面の間に渡って設けられると共に、上記シートの後端よりも前方の一般面から前方へ略水平に延設され、且つその上面が正面視で略水平に形成される略台形形状とされたものである。
【００２２】
上記構成によれば、フロア突出部がシート後端よりも前方の一般面から略水平に延設されているので、燃料タンク上面をフラット化でき、好ましい。
【００２３】
また、フロア突出部が両リヤサイドフレーム近傍の一般面を連結し、その上面が略水平に延びて断面逆Ｌ字状になることから、フロア突出部の前部におけるフロア剛性を向上できる。
【００２４】
この発明の一実施態様においては、上記フロア突出部の後方且つ上記シートの後部の下方に位置する上記フロアパネルに沿って上記両リヤサイドフレームを車幅方向に接続するリヤクロスメンバが設けられたものである。
【００２５】
上記構成によれば、フロア突出部の前後で車体の車幅方向における剛性を向上させることとなり、その結果、フロア突出部の車幅方向における剛性を効果的に向上できるとともに、シート支持部の支持剛性向上を図ることができる。
【００２６】
この発明の一実施態様においては、上記フロアパネルの車幅方向中央部位には、車室内側に突出し、上記キックアップ部の前面から車両前方に向けて延びるトンネル部が設けられ、該トンネル部は、上記フロア突出部に対し、下方に位置し、且つ車幅方向の幅が狭いものである。
【００２７】
上記構成によれば、フロア突出部の前面と上面とで形成される、車幅方向に延びるＬ字状断面の断面係数が大きくなり、且つ該Ｌ字状断面がトンネル部を直線的に左右に跨るので、フロア剛性を向上させることができる。
【００２８】
この発明の一実施態様においては、上記トンネル部の上壁は、上記キックアップ部前面の上縁よりも下方に離間しているものである。
【００２９】
上記構成によれば、フロア突出部の上面と、前面と、段差部と、キックアップ部の前面とで形成される、車幅方向に延びるクランク状の断面がトンネル部を直線的に左右に跨るので、フロア剛性を向上させることができる。
【００３０】
この発明の一実施態様においては、上記段差部は、上記両リヤサイドフレームの上面と同じ高さに配設されるものである。
【００３１】
上記構成によれば、段差部のＬ字状断面が直線的に両リヤサイドフレームを接続するので、フロア剛性を向上させることができる。
【発明の効果】
【００３２】
この発明によれば、フロアパネルの車幅方向の少なくとも一部に該フロアパネルの一般面よりも上方に突出したフロア突出部を形成し、燃料タンクをフロアパネルの一般面の下方に配設して、この燃料タンクの車幅方向の少なくとも一部には上方に突出したタンク突出部を形成し、このタンク突出部をフロア突出部により形成された空間内に配設すると共に、フロア突出部上方にはシートを配設したので、車室内スペースなかんずく乗員の足元スペースの確保と、燃料タンクの容量確保との両立を図ることができ、特にシートの前方下部のデッドスペースを乗員の足元スペースとして有効利用することができる効果がある。
【図面の簡単な説明】
【００３３】
【図１】本発明の車両用燃料端タンクの配設構造を示す平面図。
【図２】燃料タンク配設構造を示す正面図。
【図３】燃料タンク配設構造を示す側面図。
【図４】シートスライドレールの拡大断面図。
【図５】フロア突出部とタンク突出部の関連構造を示す正面図。
【図６】図１の底面図。
【図７】図６のＡ−Ａ線矢視断面図。
【図８】タンク突出部の他の実施例を示す側面図。
【図９】リヤシートに着座した乗員と足元スペースとを示す説明図。
【発明を実施するための形態】
【００３４】
車室内スペースなかんずく乗員の足元スペースの確保と、燃料タンクの容量確保との両立を図ることができ、また、シートの前方下部のデッドスペースを乗員の足元スペースとして有効利用するという目的を、車室フロアを形成するフロアパネルの下方に燃料タンクが配設された車両用燃料タンクの配設構造であって、上記フロアパネルには、その車幅方向両側に前後方向に延びるリヤサイドフレームが設けられると共に、両該リヤサイドフレームの間に上方に段差が形成されたキックアップ部が設けられ、上記キックアップ部の後方における上記フロアパネルの車幅方向の少なくとも一部に該フロアパネルの一般面より上方に突出したフロア突出部を形成し、上記燃料タンクをフロアパネルの一般面の下方に配設すると共に、該燃料タンクの車幅方向の少なくとも一部に上方に突出したタンク突出部を形成し、該タンク突出部を上記フロア突出部により形成された空間内に配設すると共に、上記フロア突出部の上方の車室内側にシートを配設し、上記フロアパネルの一般面は前方且つ下方に傾斜して形成され、傾斜した後方の高部であって、且つ上記フロア突出部後方の部位にはシートが取付けられるシート支持部が設けられ、上記キックアップ部と上記フロア突出部との間には、上記両リヤサイドフレーム間の車幅方向略全域に渡って断面Ｌ字状の段差部が延設されているという構成にて実現した。
【００３５】
また、車室内スペースなかんずく乗員の足元スペースの確保と、燃料タンクの容量確保との両立を図ることができ、また、シートの前方下部のデッドスペースを乗員の足元スペースとして有効利用するという目的を、車室フロアを形成するフロアパネルの下方に燃料タンクが配設された車両用燃料タンクの配設構造であって、上記フロアパネルには、その車幅方向両側に前後方向に延びるリヤサイドフレームが設けられると共に、両該リヤサイドフレームの間に上方に段差が形成されたキックアップ部が設けられ、上記キックアップ部の後方における上記フロアパネルの車幅方向の少なくとも一部に該フロアパネルの一般面より上方に突出したフロア突出部を形成し、上記燃料タンクをフロアパネルの一般面の下方に配設すると共に、該燃料タンクの車幅方向の少なくとも一部に上方に突出したタンク突出部を形成し、該タンク突出部を上記フロア突出部により形成された空間内に配設すると共に、上記フロア突出部の上方の車室内側にシートを配設し、上記フロアパネルの一般面は前方且つ下方に傾斜して形成され、傾斜した後方の高部であって、且つ上記フロア突出部後方の部位にはシートが取付けられるシート支持部が設けられ、上記フロア突出部は、上記両リヤサイドフレームとそれぞれ連結された両該リヤサイドフレーム近傍の上記フロアパネルの一般面の間に渡って設けられると共に、上記シートの後端よりも前方の一般面から前方へ略水平に延設され、且つその上面が正面視で略水平に形成される略台形形状とされたという構成にて実現した。
【実施例】
【００３６】
この発明の一実施例を以下図面に基づいて詳述する。  
図面は車両用燃料タンクの配設構造を示すが、まず、図１、図２、図３を参照して車体構造について説明する。
【００３７】
車室フロアを形成するフロアパネル１（フロント側のフロアパネル）の中央部には車室内側に突出して、車両の前後方向に延びるトンネル部２が形成されると共に、フロアパネル１の左右両側端部には、サイドシルインナとサイドシアウタとを接合して、車両の前後方向に延びるサイドシル閉断面を備えたサイドシル（図示せず）が接合固定されている。
【００３８】
また、上述のフロアパネル１には上方に段差が形成されたキックアップ部３を介してリヤフロア４（リヤ側のフロアパネル）が一体または一体的に連設され、このリヤフロア４の後部には下方に段下げ形成された凹状のスペアタイヤパン５が設けられている。
【００３９】
上述のキックアップ部３は前低後高状に傾斜して立ち上がり、このキックアップ部３の上端に断面Ｌ字状の段差部６を介してリヤフロア突出部７を形成している。キックアップ部３とリヤフロア突出部７との間に微少寸法の段差部６を形成することで、フロア剛性の向上を図るように構成している。
【００４０】
上述のリヤフロア突出部７は図２に示すように、リヤフロア４の左右の一般面８，８よりも上方に突出するように形成されると共に、所定幅の左右一般面８，８を残して車幅方向のほぼ全幅にわたって突出形成されている。  
上述の左右一般面８，８は、図３に示すように、前方に傾斜、詳しくは前低後高状に傾斜して形成され、同図に示すように傾斜した前方の低部水平部８ａには左右一対のリヤシート９，１０の前部が支持され、傾斜した後方の高部８ｂにはストライカ１１を介してリヤシート９，１０の後部が支持されている。
【００４１】
すなわち、上述の一般面８の低部水平部８ａの上面には、図２、図３に示すように固定ブラケット１２（リヤシート支持手段）を取付け、この固定ブラケット１２に支軸１３を介して可動ブラケット１４（リヤシート支持手段）を回動可能に枢支し、左右一対設けられた可動ブラケット１４，１４の上端部相互間には車幅方向に延びる剛性部材としてのシート支持フレーム１５を張架している。
【００４２】
このシート支持フレーム１５は、図２に示すように、リヤフロア突出部７と離間して、該リヤフロア突出部７上方において車幅方向に延びる剛性部材であって、この実施例では、金属製角パイプにて上述のシート支持フレーム１５を構成し、その左右の両端部をリヤフロア４の一般面８に取付けている。なお、シート支持フレーム１５は金属製角パイプに代えて、ハイドロフォーム成形品によって構成してもよい。
【００４３】
上述のシート支持フレーム１５のリヤ側には、該シート支持フレーム１５と離間して平行に延びる別のシート支持フレーム１６を設け、これら前後のシート支持フレーム１５，１６間には左側のリヤシート９のシートクッション１７と対応して一対のシートスライドレール１８，１８を取付けると共に、右側のリヤシート１０のシートクッション１７と対応して一対のシートスライドレール１９，１９と取付けている。
【００４４】
上述のシートスライドレール１８，１９は、図４に示すように、２部材を接合して構成したロアレール２０と、１部材を屈曲形成して構成したアッパレール２１とを備え、図１に示すように、各シートスライドレール１８，１９を車両の前後方向に向けて互に平行に取付けている。詳しくは、各ロアレール２０…を前側のシート支持フレーム１５に取付けると共に、それぞれのロアレール２０…のリヤ側端部には上述の後側のシート支持フレーム１６を取付けて、合計４本の各アッパレール２１が車両の前後方向にスライド可能となるように構成されている。
【００４５】
また、図２、図３に示すように、上述の可動ブラケット１４の車外側にはシートクッション１７，１７の下部において後側のシート支持フレーム１６まで延びるシートサイドフレーム２２を固定している。
【００４６】
このシートサイドフレーム２２には、図３に示すように、上述のストライカ１１を係入する係入部２３を設け、この係入部２３に取付けたラッチ（図示せず）によって上述のストライカ１１を着脱可能に係合すべく構成している。
【００４７】
左右一対のリヤシート９，１０は、シートクッション１７とシートバック２４とをそれぞれ備え、シートバック２４はリクライニング支点２５をもったリクライニングナックル２６を介してシートクッション１７に対して、左右独立して前方に伏動して、折り畳み可能に構成されている。
【００４８】
ここで、上述のシートクッション１７はホイールハウスとの干渉を回避するために、図１に示すように車外側後部に凹部１７ａが形成されている。また、上述のシートバック２４はサスタワーおよびホイールハウスとの干渉を回避するために、図２に示すように、車外側下部に凹部２４ａが形成されている。
【００４９】
一方、図１、図２に示すように、リヤフロア４の左右両サイド下面部にはキックアップ部３からリヤフロア４の後端部まで延びる車体剛性部材としての左右一対のリヤサイドフレーム２７，２７を接合し、これら左右の各リヤサイドフレーム２７，２７とリヤフロア４との間には前後方向に延びる閉断面を形成し、スペアタイヤパン５の直前部において左右のリヤサイドフレーム２７，２７間を、車幅方向に延びるリヤクロスメンバ２８（いわゆるＮｏ．４クロスメンバ）で接続すると共に、リヤフロア４とリヤクロスメンバ２８との間には図３に示すように、車幅方向に延びる閉断面２９を形成している。
【００５０】
図５は燃料タンクの配設構造を示す正面図、図６は図１の底面図、図７は図６のＡ−Ａ線矢視断面図であって、次に図１〜図３、図５〜図７を参照して燃料タンクの配設構造について説明する。
【００５１】
これらの各図面に示すように、燃料タンク３０はキックアップ部３よりも後方で、かつリヤフロア４よりも下方の空間にのみ配設されていて、図５に明瞭に示すように該燃料タンク３０には上方に突出したタンク突出部３０ａ（図５において一般面８よりも上方に突出した部分）が一体形成されている。つまり、燃料タンク３０はその主体部３０ｂ（一般面８よりも下方の部分参照）がリヤフロア４の一般面８の下方に配設され、この主体部３０ｂに対して上方に突出するタンク突出部３０ａを形成し、充分なタンク容量を確保すべく構成したものである。
【００５２】
そして、このタンク突出部３０ａを上述のリヤフロア突出部７により形成された空間３１内に配設している。この実施例では、図５に示すように、上述のタンク突出部３０ａは凹状のフュエルポンプ取付け部３０ｃを除いて空間３１の内部に対応すべく車幅方向のほぼ全幅にわたって形成されており、タンク容量の拡大を図るように構成している。
【００５３】
また、上述の燃料タンク３０は図６、図７に示すように支持されている。すなわち、車幅方向においてはトンネル部２の近傍で、かつ上下方向においてはキックアップ部３とリヤフロア突出部７とを跨ぐ位置にブラケット３２を接合し、このブラケット３２と上述のリヤクロスメンバ２８とに締結する２本のタンクバンド３３，３４を用いて燃料タンク３０を支持している。
【００５４】
一方のタンクバンド３３はその前部がブラケット３２に着脱可能に締結され、その後部がリヤクロスメンバ２８の車幅方向端部側に着脱可能に締結されるもので、他方のタンクバンド３４はその前部がブラケット３２に着脱可能に締結され、その後部がリヤクロスメンバ２８の車幅方向中間部に着脱可能に締結されるもので、締結手段としてはブラケット３２およびリヤクロスメンバ２８に予め溶接固定したナット３５と、このナット３５に螺合されるボルト３６を用いている。
【００５５】
また、上記一対のタンクバンド３３，３４は底面から見てリヤ側が開放する横向きＶ字状に組み合わされている。
【００５６】
さらに、上述の燃料タンク３０のブラケット３２から遠い側としての右側の前部コーナ部には支持片３７が一体または一体的に形成され、この支持片３７は、ボルト、ナット等の取付け部材３８を用いて、リヤサイドフレーム２７に設けた突片３９に着脱可能に取付けられている。
【００５７】
上述の燃料タンク３０のタンク突出部３０ａは図３で示した側面形状（前高後低状に傾斜するスラント形状）に代えて、図８に示すように、リヤフロア突出部７の内部形状に沿うように側面視で前後方向の所定長さをもった凸形状に構成し、タンク容量のさらなる拡大を図ってもよい。
【００５８】
このように上記実施例の車両用燃料タンクの配設構造は、車室フロアを形成するフロアパネル（フロアパネル１およびリヤフロア４参照）の下方に燃料タンク３０が配設された車両用燃料タンクの配設構造であって、上記フロアパネル（リヤフロア４参照）の車幅方向の少なくとも一部に該フロアパネル（リヤフロア４参照）の一般面８より上方に突出したリヤフロア突出部７を形成し、上記燃料タンク３０をフロアパネル（リヤフロア４参照）の一般面８の下方に配設すると共に、該燃料タンク３０の車幅方向の少なくとも一部に上方に突出したタンク突出部３０ａを形成し、該タンク突出部３０ａを上記リヤフロア突出部７により形成された空間３１内に配設すると共に、上記リヤフロア突出部７の上方の車室内側にリヤシート９，１０を配設したものである。
【００５９】
この構成によれば、フロアパネル（リヤフロア４参照）の一般面８より上方に突出したリヤフロア突出部７を形成し、このリヤフロア突出部７で形成された空間３１内に燃料タンク３０のタンク突出部３０ａを配設したので、車室内スペースなかんずく乗員の足元スペースの確保と、燃料タンク３０の容量確保との両立を図ることができる。
【００６０】
また、リヤフロア突出部７の上方の車室内側にリヤシート９，１０を配設したので、図９に乗員が着座した状態を示すように、リヤシート９，１０（特にシートクッション１７参照）の前方下部のデッドスペースを乗員の足元スペースとして有効利用することができる。  
特に、同図に示す従来のキックアップ部αに対して図９に実線で示す位置までキックアップ部３を後退設定しても、上記構成の採用により、タンク容量の確保ができるものである。
【００６１】
さらに、上記リヤフロア突出部７は車幅方向のほぼ全幅にわたって突出形成され、上記燃料タンク３０の車幅方向のタンク突出部３０ａはフュエルポンプ取付け部３０ｃを除いて車幅方向のほぼ全幅にわたって形成されたものである。
【００６２】
この構成によれば、乗員の足元スペースを確保しつつ、燃料タンク３０のより一層良好な容量を図ることができる。
【００６３】
加えて、上記フロアパネル１には上方に段差が形成されたキックアップ部３が設けられ、上記キックアップ部３の後方に上記リヤフロア突出部７が形成されたものである。  
この構成によれば、上述のリヤフロア突出部７はキックアップ部３よりもさらに一段上部に位置するので、燃料タンク３０のタンク容量をさらに拡大することができる。
【００６４】
しかも、上記燃料タンク３０にはキックアップ部３より後方の下方空間にのみ配設されたものである。  
この構成によれば、燃料タンク３０の上記配設位置により、図９に示すように、リヤシート９，１０に着座したリヤ席乗員の足元スペースを前後方向および上下方向に拡大することができる。
【００６５】
また、上記フロアパネル（リヤフロア４参照）の一般面８は前方に傾斜して形成され、傾斜した前方の低部（低部水平部８ａ参照）には上記リヤシート９，１０の前部が取付けられ、後方の高部８ｂにはリヤシート９，１０の後部が取付けられたものである。
【００６６】
この構成によれば、フロアパネル（リヤフロア４参照）の一般面８が前方に傾斜しているので、正面視でフロアパネル（リヤフロア４参照）の両サイド部にはリヤシート９，１０の回転支持（例えば、ダブルホールド）に必要な部材を取付けるためのスペースが確保でき、正面視でフロアパネル（リヤフロア４参照）の中間部分には車幅方向に上方に突出したリヤフロア突出部７を適切に形成することができる。したがって、リヤシート９，１０の取付けと、燃料タンク３０の容量確保との両立を図ることができる。
【００６７】
さらに、上記リヤシート９，１０は、左右の両端部が上記フロアパネル（リヤフロア４参照）の一般面８に取付けられて車幅方向に延びるシート支持フレーム１５に取付けられたものである。  
この構成によれば、車幅方向に延びるシート支持フレーム１５に対してリヤシート９，１０を取付けるので、リヤシート９，１０の支持剛性を確保しつつ、燃料タンク３０の容量拡大を確保することができる。
【００６８】
この発明の構成と、上述の実施例との対応において、  
この発明のフロアパネルは、実施例のフロアパネル１およびリヤフロア４に対応し、  
以下同様に、  
フロア突出部は、リヤフロア突出部７に対応し、  
シートは、リヤシート９，１０に対応し、  
シート支持部は、ストライカ１１に対応するも、  
この発明は、上述の実施例の構成のみに限定されるものではない。
【符号の説明】
【００６９】
１…フロアパネル
２…トンネル部
３…キックアップ部
４…リヤフロア（フロアパネル）
６…段差部
７…リヤフロア突出部（フロア突出部）
８…一般面
８ａ…低部水平部（低部）
８ｂ…高部
９，１０…リヤシート（シート）
１１…ストライカ（シート支持部）
１２…固定ブラケット
１５…シート支持フレーム
２７…リヤサイドフレーム
２８…リヤクロスメンバ
３０…燃料タンク
３０ａ…タンク突出部
３０ｃ…フュエルポンプ取付け部
３１…空間
【図１】
2011031888.tif 000003
【図２】
2011031888.tif 000004
【図３】
2011031888.tif 000005
【図４】
2011031888.tif 000006
【図５】
2011031888.tif 000007
【図６】
2011031888.tif 000008
【図７】
2011031888.tif 000009
【図８】
2011031888.tif 000010
【図９】
2011031888.tif 000011